(57)【要約】【課題】建設機械アタッチメント交換作業は、機械オペレーターと手合図する作業員の共同作業であって、単独では出来ない事、危険が伴う作業である事、そして時間が掛かる点を解消する。【解決手段】建設機械のアームの先端に取り付けるアタッチメント脱着用アダプターであって、上部はアームの先端を差し込むように上面が開口している角筒状のアーム接続部であり、このアーム接続部の角筒の対向する壁には水平に連結ピンを挿し込む穴が上下に二つずつ開けられていて、このアーム接続部と一体的に外へ湾曲している刃部を有する固定握り部がアーム接続部から下方へ延設されていて、この刃部と対称的に同一形状の刃部とこの上部に円筒形の連絡部とからなる可動握り部が、上記穴にはめ込まれたピンによって半回転できるように軸支されていて、さらにこの可動握り部の外側に取り付けた接続部によって、アーム接続部の壁の外側に取り付けられた油圧シリンダーに連結されている事を特徴とするアタッチメント脱着用アダプター。【選択図】図１
2006037379.tif 000002
【特許請求の範囲】
【請求項１】
建設機械のアームの先端に取り付けるアタッチメント脱着用アダプター(１)であって、上部はアームの先端を差し込むように上面が開口している角筒状のアーム接続部(２)であり、このアーム接続部(２)の角筒の対向する壁には水平に連結ピン(４)、(５)を挿し込む穴が上下に二つずつ (４１，４２  ５１，５２)開けられていて、このアーム接続部(２)と一体的に外へ湾曲している刃部(６１)を有する固定握り部(６)がアーム接続部(２)から下方へ延設されていて、この刃部(６１)と対称的に同一形状の刃部(７１)とこの上部に円筒形の連絡部（７２）とからなる可動握り部(７)が、上記穴（５１，５２）にはめ込まれたピン（５）によって半回転できるように軸支されていて、さらにこの可動握り部（７）の外側に取り付けた接続部（９）によって、アーム接続部（２）の壁の外側に取り付けられた油圧シリンダー（８）に連結されている事を特徴とするアタッチメント脱着用アダプター（１）。
【発明の詳細な説明】
【技術分野】
【０００１】
本発明は、建設機械用のアタッチメントを容易に脱着できる装置である。
【背景技術】
【０００２】
従来の建設機械アタッチメント交換作業は、重量のある連結ピンを抜きアタッチメントをアームからはずし、使用したいアタッチメントとアームの各連結孔の位置合わせ後、連結ピンを再び差して行うものであるが、各連結孔が機械運転席のオペレーターから見えない位置にありそのためアタッチメント付近に目視する作業員が必要であり、オペレーターは作業員の手合図で各連結孔の位置合わせをすることになる。またアタッチメントは用途によって各種あるので建設現場によってはこの作業を数回行うこともある。
【発明の開示】
【発明が解決しようとする課題】
【０００３】
解決しようとする問題点は、建設機械アタッチメント交換作業で機械オペレーターと手合図する作業員の共同作業で単独では出来ない事、危険が伴う作業である事、そして時間が掛かる点である。
【課題を解決するための手段】
【０００４】
本発明は、上記課題を解決するためになされたものであり、建設機械のアームの先端に取り付けるアタッチメント脱着用アダプター１であって、上部はアームの先端を差し込むように上面が開口している角筒状のアーム接続部２であり、このアーム接続部２の角筒の対向する壁には水平に連結ピン４，５を挿し込む穴が上下に二つずつ４１，４２  ５１，５２開けられていて、このアーム接続部２と一体的に外へ湾曲している刃部６１を有する固定握り部６がアーム接続部２から下方へ延設されていて、この刃部６１と対称的に同一形状の刃部７１とこの上部に円筒形の連絡部７２とからなる可動握り部７が、上記穴５１，５２にはめ込まれたピン５によって半回転できるように軸支されていて、さらにこの可動握り部７の外側に取り付けた接続部９によって、アーム接続部２の壁の外側に取り付けられた油圧シリンダー８に連結されていることを特徴とする。
【０００５】
上記油圧シリンダー８は図３に示すように、油圧ホース３がアームＡに沿わせて油圧ポンプ（図示省略）につながれていて、運転席での操作によって油圧シリンダー８を作動させて可動握り部７を開閉させ、これによりアタッチメントを掴んだり離したりすることが出来るのである。
【発明の効果】
【０００６】
建設機械に本発明品を取り付けたことにより運転席から可動握り部（７）を開閉動作しアタッチメント連結ピン部分を掴んだり離したりすることによりアームとアタッチメント部分が運転席から機械オペレーターの操作で容易に着脱出来るようになり、単独で、安全かつ作業時間も大幅に短縮できるようになる。
【発明を実施するための最良の形態】
【０００７】
本発明を以下のとおりに説明する。
【実施例１】
【０００８】
以下、本発明実施の形態の一例を図を用いて説明する。図１は脱着用アダプター１の説明図である。本実施例は、数種ある建設機械の中で最も多く使用されている大きさの機械に合わせて作成したものであり、すべて鋼製で厚み２センチの鉄板を用い角筒状のアーム接続部２は下方に向けて細くなり内寸で上端は１７センチ四方、下端は穴のある側の幅１２センチ、ピンを差す方向の幅が１５センチ、高さ５１センチのものでこのアーム部２の角筒の対向する壁には上から穴の中心まで１２．５センチのところに水平に連結ピン４，５を差込む穴が上下に二つずつ４１，４２  ５１，５２が設けられておりその穴は直径５センチで、連結ピン４は長さ２５センチ、連結ピン５は長さ２０センチとし、上下の穴の中心円からの距離は２４センチとした。このアーム接続部２と溶接により一体的に外へ湾曲している刃部６１を有する固定握り部６がアーム接続部２から下方へ延設されていてこの刃部６１と対称的に同一形状の刃部７１とこの上部に中が空洞の円筒形の連絡部７２とからなる可動握り部７が、上記穴５１，５２にはめ込まれたピン５によって半回転できるように軸支するようにした。両刃部６１，７１を閉じたとき形成される円状形の外径は１５センチ、内径は５センチで各刃部の厚みは５センチになるようにした。また連絡部７２は内径５センチ、外径９センチ、厚み２センチで可動握り部７と溶接されており、可動握り部７の外側には厚み２センチで縦横５センチの接続部９を溶接でとりつけた。連絡部７２の穴を上記穴５１、５２に合わすため、アーム接続部２の可動握り部面に上から３４センチのところに開口部を設けた。
【０００９】
図２は建設機械アームの先端に本発明脱着用アダプター１を取り付けた状況を示す説明図である。本実施例では二本のアームに図のように上記の穴４１，４２を利用してピン４で連結させ、脱着用アダプター１をそれぞれ装着した。
【００１０】
図３は油圧経路の説明図であって、可動握り部７の外側に取り付けた接続部９とアーム接続部２の壁の外側に取り付けられた油圧シリンダー８が連結されており、建設機械運転席より油圧ホース３をアーム側面に沿わせ伸ばしアーム先端手前付近に三方ソケット１０につなげこれによりアーム前方Ａと、アーム後方Ｂに油圧を分け各油圧シリンダー８に溶接した。
【００１１】
図４は脱着用アダプター１の開閉状態を示しているが運転席から油圧を送り油圧シリンダー８の伸縮作動により可動握り部７が開閉動作できるようになされている。
【００１２】
図５は建設機械アームに脱着用アダプター１を装着し建設機械アタッチメントを脱着する様子を示す説明図である。建設機械アタッチメントとして、本実施例ではバケット９０を用いた。バケット９０には、アームと結合するための既存の差し込み穴が前方後方に二つずつ空いており、その穴に予めピン１１、１２を差しておいて、可動握り部７を操作して開閉動作させることにより、ピン１１、１２を掴んだり離したりした。この動作により建設機械にアタッチメントが脱着できるようになった。
【００１３】
上記のように実施したことにより、運転席から機械オペレーターの操作でアタッチメントが容易に脱着出来るようになり、二人での作業が単独で出来、安全かつ作業時間も大幅に短縮できるようになる効果があった。
【図面の簡単な説明】
【００１４】
【図１】本発明脱着アダプター１の説明図である。
【図２】アーム先端部に脱着用アダプターを結合したときの状態を示す説明図である。
【図３】本発明脱着用アダプター１を作動させる油圧経路の説明図である。
【図４】脱着用アダプター１の開閉状態を示した図である。
【図５】本発明脱着用アダプター１を装着し、実際にアタッチメントの一つであるバケットを脱着する様子を示した説明図である。
【符号の説明】
【００１５】
１  脱着用アダプター
２  アーム接続部
３  油圧ゴムホース
４、５  連結ピン
４１、４２，５１，５２  差し込む穴
６  固定握り部
７  可動握り部
８  油圧シリンダー
９  接続部
１０  三方ソケット
１１，１２  バケットのピン
６１、７１  刃部
７２  連絡部
Ａ、Ｂ  建設機械のアーム
９０  バケット
【図１】
2006037379.tif 000003
【図２】
2006037379.tif 000004
【図３】
2006037379.tif 000005
【図４】
2006037379.tif 000006
【図５】
2006037379.tif 000007